(57)【特許請求の範囲】
【請求項１】
一端に開口部を有する容器に貯留された被処理水に殺菌を行う携帯可能な水筒において、
前記被処理水が貯留された前記容器の前記開口部に対して着脱可能であり、前記開口部を密閉する弁を含む蓋体部材と、
前記蓋体部材と一体とされたエネルギ貯蔵装置を含み、前記エネルギ貯蔵装置に蓄積されたエネルギが解放された時に発生する運動エネルギを衝撃として前記容器とは異なる前記弁の衝撃印加面に印加し前記衝撃印加面の裏面にあたる前記弁の衝撃波発生面を介して前記容器に貯留された前記被処理水に衝撃を印加する衝撃印加部と、を備え、
前記衝撃印加部が印加した前記衝撃によって、前記被処理水に接触する前記弁の前記衝撃波発生面から衝撃波が発生して前記被処理水に対する前記殺菌を行うことを特徴とする水筒。
【請求項２】
前記衝撃印加部は、前記蓋体部材に接続されていることを特徴とする請求項１記載の水筒。
【請求項３】
前記衝撃印加部は、前記被処理水に前記衝撃を印加するためのエネルギを生成する駆動手段を含み、前記エネルギ貯蔵装置は、前記駆動手段により生成されたエネルギを蓄積することを特徴とする請求項１または請求項２に記載の水筒。
【請求項４】
前記エネルギ貯蔵装置は、位置エネルギを蓄えた状態であるエネルギ貯蔵状態と、位置エネルギが運動エネルギとなるエネルギ解放状態とを有し、スイッチによって前記エネルギ貯蔵状態から前記エネルギ解放状態に切り替わることを特徴とする請求項１から請求項３のいずれか一項に記載の水筒。
【請求項５】
前記エネルギ貯蔵装置は、ばね、またはぜんまい、またはラチェット構造を含むことを特徴とする請求項１から請求項４のいずれか一項に記載の水筒。
【請求項６】
前記衝撃印加部の少なくとも一部は、前記蓋体部材と一体形成されていることを特徴とする請求項１から請求項５のいずれか一項に記載の水筒。
【請求項７】
前記容器の他方の端部に、衝撃波を反射させる衝撃波増強部を有することを特徴とする請求項１から請求項６のいずれか一項に記載の水筒。
【請求項８】
前記容器の一部に蛇腹構造を有することを特徴とする請求項１から請求項７のいずれか一項に記載の水筒。
【請求項９】
前記容器に貯留された被処理水にガスを注入するガス注入手段を備えたことを特徴とする請求項１から請求項８のいずれか一項に記載の水筒。
【請求項１０】
一端に開口部を有する水筒の容器に貯留された被処理水に殺菌を行う水筒貯留水処理方法において、
前記容器に前記被処理水を貯留する貯留ステップと、
前記貯留ステップの後、前記開口部に対して着脱可能な蓋体部材に含まれており前記容器とは異なる弁を用いて前記開口部を密閉する密閉ステップと、
前記密閉ステップの後、前記蓋体部材と一体とされたエネルギ貯蔵装置に蓄積されたエネルギが解放された時に発生する運動エネルギを衝撃として前記弁の衝撃印加面に印加することにより、前記衝撃印加面の裏面にあたる前記弁の衝撃波発生面を介して前記容器に貯留された前記被処理水に衝撃を印加する衝撃印加ステップと、
前記衝撃印加面に印加された前記衝撃によって、前記被処理水に接触する前記弁の前記衝撃波発生面から衝撃波を発生させて前記被処理水に対する前記殺菌を行う殺菌ステップとを備えることを特徴とする水筒貯留水処理方法。
【請求項１１】
前記衝撃印加ステップにおいて、前記蓋体部材に接続された衝撃印加部によって前記衝撃を印加することを特徴とする請求項１０記載の水筒貯留水処理方法。
【請求項１２】
前記衝撃印加ステップにおいて、前記容器の前記開口部は上向きに配置され、前記被処理水の水面に前記衝撃印加部の衝撃波発生面を接触させた状態で前記衝撃を印加することを特徴とする請求項１１記載の水筒貯留水処理方法。
【請求項１３】
前記衝撃印加ステップにおいて、前記容器の前記開口部は下向きに配置され、前記被処理水に前記衝撃印加部の衝撃波発生面を浸漬させた状態で前記衝撃を印加することを特徴とする請求項１１記載の水筒貯留水処理方法。
【請求項１４】
前記容器に貯留された前記被処理水にガスを注入するガス注入ステップをさらに含み、前記ガス注入ステップは、前記衝撃印加ステップよりも前に実施されることを特徴とする請求項１０から請求項１３のいずれか一項に記載の水筒貯留水処理方法。
【発明の詳細な説明】
【技術分野】
【０００１】
本願は、水筒及び水筒貯留水処理方法に関するものである。
【背景技術】
【０００２】
従来、水中に存在する菌類等の微生物を殺菌する手法として、薬剤、微細な膜、オゾン、紫外線、及びキャビテーション等を利用した手法が知られている。例えば特許文献１には、第１の液体と第２の液体とを隔離する隔離部と、第１の液体から隔離部を透過して第２の液体へ伝搬する衝撃波を発生する衝撃波発生部とを備えた浄化装置が開示されている。【０００３】
特許文献１による浄化装置では、電極間の放電により第１の液体中に衝撃波を発生させ、この衝撃波が第２の液体中でキャビテーションによる気泡を発生させるものであり、気泡の崩壊によって液体に殺菌を行っている。
【先行技術文献】
【特許文献】
【０００４】
【特許文献１】特開２０１７−８０６５６号公報
【発明の概要】
【発明が解決しようとする課題】
【０００５】
例えば水筒等の容器内に貯留された水は、時間経過と共に塩素等の薬剤の効果が薄れ、飲用時に混入した口内細菌等によって汚染される。また、樽、貯水槽等に貯留された水は、空気中から混入した微生物等によって汚染される恐れがある。しかしながら、薬剤または微細な膜等を使用した従来の殺菌方法は、管理及びメンテナンスが煩雑であるという課題がある。このため、容器内の水に対し、薬剤または微細な膜等を使用せずに殺菌を行うことができる簡易な水処理装置が求められている。【０００６】
特許文献１による浄化装置は、水槽、菌体容器、電極ユニットを含む衝撃波発生ユニット、及び電極支持部等を備えており、装置構成が複雑で装置が大型化するという課題がある。このため、定位置に設置されて水を処理するのに適している。【０００７】
本願は、上記のような課題を解決するための技術を開示するものであり、容器内の水に殺菌を行うことができ、管理及びメンテナンスが容易な水筒及び水筒貯留水処理方法を提供することを目的とする。
【課題を解決するための手段】
【０００８】
本願に開示される水筒は、一端に開口部を有する容器に貯留された被処理水に殺菌を行う携帯可能な水筒において、被処理水が貯留された容器の開口部に対して着脱可能であり、開口部を密閉する弁を含む蓋体部材と、蓋体部材と一体とされたエネルギ貯蔵装置を含み、エネルギ貯蔵装置に蓄積されたエネルギが解放された時に発生する運動エネルギを衝撃として容器とは異なる弁の衝撃印加面に印加し衝撃印加面の裏面にあたる弁の衝撃波発生面を介して容器に貯留された被処理水に衝撃を印加する衝撃印加部と、を備え、衝撃印加部が印加した衝撃によって、被処理水に接触する弁の衝撃波発生面から衝撃波が発生して被処理水に対する殺菌を行うものである。
【０００９】
本願に開示される水筒貯留水処理方法は、一端に開口部を有する水筒の容器に貯留された被処理水に殺菌を行う水筒貯留水処理方法において、容器に被処理水を貯留する貯留ステップと、貯留ステップの後、開口部に対して着脱可能な蓋体部材に含まれており容器とは異なる弁を用いて開口部を密閉する密閉ステップと、密閉ステップの後、蓋体部材と一体とされたエネルギ貯蔵装置に蓄積されたエネルギが解放された時に発生する運動エネルギを衝撃として弁の衝撃印加面に印加することにより、衝撃印加面の裏面にあたる弁の衝撃波発生面を介して容器に貯留された被処理水に衝撃を印加する衝撃印加ステップと、衝撃印加部により印加した衝撃によって、被処理水に接触する弁の衝撃波発生面から衝撃波を発生させて被処理水に対する殺菌を行う殺菌ステップとを備えるものである。
【発明の効果】
【００１０】
本願に開示される水筒によれば、衝撃印加部によって被処理水に衝撃を印加することにより被処理水に殺菌を行うようにしたので、薬剤または微細な膜等を使用した従来の水処理装置に比べて管理及びメンテナンスが容易である。
【００１１】
また、本願に開示される水筒貯留水処理方法によれば、被処理水に衝撃を印加することにより被処理水に殺菌を行うようにしたので、薬剤または微細な膜等を使用した従来の水処理方法に比べて管理及びメンテナンスが容易である。
本願の上記以外の目的、特徴、観点及び効果は、図面を参照する以下の詳細な説明から、さらに明らかになるであろう。
【図面の簡単な説明】
【００１２】
【図１】実施の形態１における水処理装置を示す斜視図である。
【図２】実施の形態１における水処理装置による水処理方法を説明する模式図である。
【図３】実施の形態１における水処理装置による水処理方法を説明する模式図である。
【図４】実施の形態１における水処理装置による水処理方法を説明する斜視図である。
【図５】実施の形態２における水処理装置による水処理方法を説明する模式図である。
【図６】実施の形態３における水処理装置による水処理方法を説明する模式図である。
【図７】実施の形態４における水処理装置による水処理方法を説明する模式図である。
【図８】実施の形態５における水処理装置の蓋体部材を示す斜視図である。
【図９】実施の形態６における水処理装置の容器を示す模式図である。
【発明を実施するための形態】
【００１３】
実施の形態１．
以下に、実施の形態１における水処理装置及び水処理方法について、図面に基づいて説明する。図１は、実施の形態１における水処理装置を示す斜視図、図２から図４は実施の形態１における水処理装置による水処理方法を説明する図である。なお、図中、同一、相当部分には同一符号を付している。
【００１４】
実施の形態１における水処理装置１は、被処理水１１に印加された衝撃による衝撃波が被処理水１１中で発生させるキャビテーションを利用して被処理水１１に殺菌を行うものであり、容器２、蓋体部材３、及び衝撃印加部４を含んで構成される。
【００１５】
被処理水１１を貯留する容器２は、図１中Ａで示す軸方向の一端である端部２ａに、略円形の開口部２ｃを有する。蓋体部材３は、開口部２ｃに対して着脱可能であり、開口部２ｃを密閉する。なお、容器２の形状は、図１に示す筒状に限定されるものではなく、様々な変形が可能である。容器２及び蓋体部材３の材料には、水密性及び耐衝撃性の高い材料が好適であり、例えばステンレス、アルミニウム等の金属、ポリカーボネート、アクリル樹脂等の合成樹脂、またはこれらの組み合わせ等が挙げられる。
【００１６】
衝撃印加部４は、蓋体部材３に着脱可能に接続されており、容器２の端部２ａに配置される。衝撃印加部４は、弁５、駆動手段であるピストン６、及びエネルギ貯蔵装置７を含み、衝撃印加部４の少なくとも一部は蓋体部材３と一体形成される。実施の形態１では、ピストン６及びエネルギ貯蔵装置７は蓋体部材３と一体形成され、弁５はエネルギ貯蔵装置７と接続されることにより蓋体部材３に含まれる。このような構成とすることにより、被処理水１１に殺菌を行う時だけ、エネルギ貯蔵装置７を弁５に取り付ければよい。
【００１７】
衝撃印加部４の弁５は略円柱形状であり、図２（ａ）に示すように、一端に衝撃波発生面５ａを有し、他端に衝撃印加面５ｂを有している。弁５は、容器２の一方の端部２ａに取り付けられ、開口部２ｃを閉塞する。すなわち、容器２に対する衝撃波発生面５ａの位置は固定されている。弁５の周面の下方には、容器２の厚さ寸法に応じた段差部５ｃが形成されている。段差部５ｃには、容器２と弁５との間の水密性を維持するためにＯリング等のパッキン（図示省略）が配置されていてもよい。
【００１８】
なお、容器２の水密性を維持する弁５の構造はこれに限定されるものではなく、様々な変形が可能である。例えば容器２の開口部２ｃ付近の内壁に弁５を取り付けるための雌ねじ部を形成し、弁５の外周面に雌ねじ部に対応した雄ねじ部を形成してもよい。
【００１９】
容器２の他方の端部は、被処理水１１に印加された衝撃による衝撃波を反射し、衝撃波を増強または増幅させる衝撃波増強部８を有している。水処理装置１の構造の簡易化のため、容器２の底部２ｂの内壁が衝撃波増強部８を兼ねることが望ましい。衝撃波増強部８は、平坦面であってもよいが、断面が放物線状の曲線を描く曲面、あるいは凹凸を有する面であってもよい。
【００２０】
衝撃印加部４の駆動手段は、被処理水１１に衝撃を印加するためのエネルギを生成するものであり、人力、重力、水力、風力等を利用した非電化機構、あるいは電池で駆動されるモータ等の電化機構によって駆動されエネルギを生成する。実施の形態１では、駆動手段としてピストン６を備え、ピストン６を往復運動させることによりエネルギ貯蔵装置７にエネルギが蓄積される。
【００２１】
衝撃印加部４のエネルギ貯蔵装置７は、エネルギ貯蔵機構７ａと衝撃印加機構７ｂとを備えている。エネルギ貯蔵機構７ａは、ピストン６により生成されたエネルギを位置エネルギとして蓄え、衝撃印加機構７ｂは、弁５を介して被処理水１１に衝撃を印加する。エネルギ貯蔵機構７ａは、ばね、ぜんまい（渦巻ばね）、またはラチェット構造等を含み、位置エネルギを蓄えた状態であるエネルギ貯蔵状態と、位置エネルギが運動エネルギとなるエネルギ解放状態とを有する。ばねの場合、ばねの変形に伴う弾性エネルギは位置エネルギの一種である。
【００２２】
エネルギ貯蔵機構７ａは、機械的なスイッチ７ｃ（図８参照）によってエネルギ貯蔵状態からエネルギ解放状態に切り替わる。衝撃印加機構７ｂは、エネルギ貯蔵機構７ａがエネルギ貯蔵状態からエネルギ解放状態になる時に発生する運動エネルギを、弁５の衝撃印加面５ｂに印加する。弁５の衝撃印加面５ｂに印加された衝撃（運動エネルギ）は、弁５の内部を伝搬し、衝撃波発生面５ａから被処理水１１中に衝撃波を発生させる。
【００２３】
なお、駆動手段はピストン６に限定されるものではなく、人力、重力等の非電化機構または小エネルギの電化機構によって駆動し、エネルギを生成するものであればよい。エネルギ貯蔵機構７ａがぜんまい（図示省略）を含む場合、駆動手段としてねじ巻き（図示省略）が用いられる。エネルギ貯蔵機構７ａのぜんまいをねじ巻きで巻き上げることにより弾性エネルギが貯蔵され、巻かれたぜんまいがほどける際に運動エネルギが発生する。
【００２４】
実施の形態１における水処理装置１による水処理方法について、図２から図４を用いて説明する。まず、一端に開口部２ｃを有する容器２に被処理水１１を貯留する（貯留ステップ）。この時、被処理水１１の量は、最大で容器２の内部に設けられた目盛り２ｄまでとする。目盛り２ｄまで被処理水１１を貯留することにより、弁５の衝撃波発生面５ａの位置と被処理水１１の水面の位置が一致し、両者が接触する。なお、容器２の一部分に透明な部材で構成された窓（図示省略）を設け、この窓に目盛りを設けてもよい。図２（ａ）に示すように、容器２に貯留された被処理水１１には、溶存気体を含む微小気泡１２が含まれている。
【００２５】
続いて、容器２の開口部２ｃに対して着脱可能な蓋体部材３を用いて開口部２ｃを密閉する（密閉ステップ）。蓋体部材３は、衝撃印加部４である弁５、ピストン６、及びエネルギ貯蔵装置７を含んでおり、衝撃波発生面５ａを有する弁５を容器２の一方の端部２ａに取り付け、開口部２ｃを密閉する。さらに、図中矢印Ｂで示すように、衝撃印加部４のエネルギ貯蔵装置７を上方から弁５に取り付ける。
【００２６】
密閉ステップの後、容器２に貯留された被処理水１１に、蓋体部材３に接続された衝撃印加部４によって衝撃を印加して殺菌を行う（衝撃印加ステップ）。図２（ｂ）に示すように、被処理水１１に衝撃波発生面５ａを接触させた状態で、被処理水１１に衝撃を印加する。具体的には、エネルギ貯蔵装置７をスイッチによってエネルギ貯蔵状態からエネルギ解放状態とし、弁５の衝撃印加面５ｂに衝撃（運動エネルギ）を印加する。
【００２７】
衝撃印加ステップでは、弁５に印加された衝撃により衝撃波発生面５ａから第１の衝撃波１３が発生する。第１の衝撃波１３は、図２（ｂ）に示すように、被処理水１１中を伝搬し、被処理水１１中でキャビテーションによる微小気泡の発生と消滅を生じさせる。容器２の底部２ｂまで到達した第１の衝撃波１３は、衝撃波増強部８により反射され、再び被処理水１１中を伝搬する。
【００２８】
第１の衝撃波１３が微小気泡１２に伝わると、微小気泡１２が瞬間的に圧縮され、消滅した微小気泡１２ａから気泡崩壊による第２の衝撃波１４が発生する。この第２の衝撃波１４が被処理水１１中の大腸菌等の菌類、微生物、ウィルス等に衝突することにより、被処理水１１に殺菌を行う。すなわち、第１の衝撃波１３のエネルギが大きく、被処理水１１に含まれる微小気泡１２が多いほど殺菌効果は高くなる。
【００２９】
このため、溶存気体が少ない被処理水１１の場合、貯留ステップの後に被処理水１１の撹拌ステップを行い、被処理水１１中に含まれる微小気泡１２を増やしてもよい。これにより、気泡崩壊による第２の衝撃波１４をより多く発生させることができる。
【００３０】
なお、上述のように、衝撃波発生面５ａの位置と被処理水１１の水面の位置が一致している場合、容器２の開口部２ｃは上向きに配置され、被処理水１１の水面に衝撃波発生面５ａを接触させた状態で衝撃が印加される。
【００３１】
一方、貯留ステップにおいて被処理水１１の量が少なく容器２の目盛り２ｄに満たない場合、あるいは攪拌ステップを実施した後に溶けきれないガスが残存する場合等には、図３に示すように、被処理水１１の水面１１ａと衝撃波発生面５ａとの間に空気層１５が存在することがある。
【００３２】
このような場合、衝撃波発生面５ａからの第１の衝撃波１３の伝搬が空気層１５により阻害され、第１の衝撃波１３が減衰するため、図４に示すように、容器２の開口部２ｃを下向きにし、容器２の底部２ｂを上向きに配置する。これにより、被処理水１１に弁５の衝撃波発生面５ａを浸漬させた状態で衝撃を印加することができる。
【００３３】
以上のように、実施の形態１における水処理装置１及び水処理方法によれば、容器２に貯留された被処理水１１に対し、衝撃印加部４によって衝撃を印加し衝撃波を発生させることにより殺菌を行うようにしたので、薬剤または微細な膜等を使用した従来の水処理装置及び水処理方法に比べて管理及びメンテナンスが容易である。
【００３４】
また、衝撃印加部４は容器２に対して着脱可能であるため、交換及びメンテナンスが容易であり、衝撃印加部４の少なくとも一部は蓋体部材３と一体形成されているため、部品点数の増加が抑制され構造が簡易となる。また、衝撃印加部４の駆動手段は、人力、重力等を利用した非電化機構、あるいは電池で駆動されるモータ等の電化機構によって被処理水１１に衝撃を印加するためのエネルギを生成するため、エネルギの省力化が可能である。
【００３５】
また、容器２の開口部２ｃを下向きに配置することにより、衝撃波発生面５ａからの第１の衝撃波１３が減衰せずに被処理水１１に伝搬されるため、被処理水１１に殺菌を効率よく行うことができる。これらのことから、実施の形態１によれば、水を飲用する直前等、随時、簡単に被処理水１１の殺菌を行うことができる小型で携帯可能な水処理装置１が得られる。
【００３６】
実施の形態２．
図５は、実施の形態２における水処理装置による水処理方法を説明する図である。実施の形態２における水処理装置は、容器２に貯留された被処理水１１にガスを注入するガス注入手段として、気泡発生装置９を備えている。その他の構成については上記実施の形態１における水処理装置１と同様であるので説明を省略する。
【００３７】
気泡発生装置９は、衝撃波発生面５ａと反対側の容器２の底部２ｂ付近に取り付けられる。なお、容器２の開口部２ｃを下向きにして使用する場合、気泡発生装置９は衝撃波発生面５ａ近傍に取り付けられる。気泡発生装置９としては、外部からのエア供給が不要な自吸式の微細気泡発生装置が好適であり、市販の製品を用いることができる。
【００３８】
実施の形態２における水処理装置による水処理方法は、上記実施の形態１における水処理方法に加え、貯留ステップの後、容器２に貯留された被処理水１１に気泡発生装置９によりガスを注入するガス注入ステップを実施するものである。ガス注入ステップは、衝撃印加ステップよりも前に実施される。
【００３９】
実施の形態２によれば、上記実施の形態１と同様の効果に加え、気泡発生装置９により被処理水１１中の微小気泡１２を増加させることにより、気泡崩壊による第２の衝撃波１４がより多く発生するため、殺菌効果が増大する。
【００４０】
実施の形態３．
図６は、実施の形態３における水処理装置による水処理方法を説明する図である。上記実施の形態１における水処理装置１は、容器２に対する衝撃波発生面５ａの位置が固定されていたが、実施の形態３における水処理装置は、衝撃波発生面５ａの位置が可動である。その他の構成については上記実施の形態１における水処理装置１と同様であるので説明を省略する。
【００４１】
実施の形態３における水処理装置の弁５Ａは、容器２に対し着脱可能であり、その外径が容器２Ａの内径よりも若干小さく形成されている。弁５Ａの周面には、被処理水１１の漏れ防止のために、Ｏリング１６が装着される。
【００４２】
実施の形態３における水処理装置による水処理方法について、図６を用いて簡単に説明する。貯留ステップで容器２Ａに被処理水１１を貯留した後、図６（ａ）に示すように、衝撃波発生面５ａを有する弁５Ａを容器２Ａの一方の端部２ａから挿入し、容器２Ａの内部に設置する。さらに、図中矢印Ｂで示すように、衝撃印加部４のエネルギ貯蔵装置７を、上方から弁５Ａに取り付ける。この時点では、被処理水１１の水面１１ａと衝撃波発生面５ａは接触していなくてもよい。
【００４３】
続いて、図６（ｂ）に示すように、エネルギ貯蔵装置７及び弁５Ａを下方に移動させ、衝撃波発生面５ａを被処理水１１の水面１１ａに接触させる。この時、衝撃波発生面５ａの位置と被処理水１１の水面１１ａの位置を一致させるために、容器２Ａの一部分には、透明な部材で構成された窓（図示省略）が設けられている。
【００４４】
続いて、衝撃印加ステップにおいて、被処理水１１に衝撃波発生面５ａを接触させた状態で、エネルギ貯蔵装置７をスイッチ等によってエネルギ貯蔵状態からエネルギ解放状態とし、弁５Ａの衝撃印加面５ｂに衝撃（運動エネルギ）を印加する。衝撃印加ステップにおける衝撃波の殺菌作用については、上記実施の形態１と同様であるので説明を省略する。
【００４５】
実施の形態３によれば、被処理水１１の量に関わらず衝撃波発生面５ａと被処理水１１の水面１１ａの位置を一致されることができるため、第１の衝撃波１３が減衰せずに被処理水１１に伝搬され、殺菌を効率よく行うことができる。また、容器２の開口部２ｃを下向きにしなくても衝撃波発生面５ａの位置と被処理水１１の水面の位置を一致させることができるため、貯水槽等に貯留された水に殺菌を行うことができる。
【００４６】
実施の形態４．
図７は、実施の形態４における水処理装置による水処理方法を説明する図である。実施の形態４における水処理装置は、上記実施の形態２と同様の気泡発生装置９を備えており、ガス注入ステップが実施される。さらに、上記実施の形態３と同様に、容器２Ａに対し弁５Ａの衝撃波発生面５ａの位置が可動である。その他の構成については上記実施の形態１における水処理装置と同様であるので説明を省略する。実施の形態４によれば、上記実施の形態２、３と同様の効果が得られる。
【００４７】
実施の形態５．
図８は、実施の形態５における水処理装置の蓋体部材を示す斜視図である。上記実施の形態１−４では、ピストン６及びエネルギ貯蔵装置７は蓋体部材３と一体形成され、弁５は容器２及びエネルギ貯蔵装置７に対し着脱可能に形成されていた。実施の形態５では、衝撃印加部４Ａを構成する弁、ピストン、及びエネルギ貯蔵装置を、蓋体部材３Ａと一体形成したものである。
【００４８】
また、実施の形態５における水処理装置は、蓋体部材３Ａの上面に、エネルギ貯蔵装置のスイッチ７ｃを設けている。その他の構成及び水処理方法については上記実施の形態１における水処理装置１と同様であるので説明を省略する。
【００４９】
実施の形態５によれば、上記実施の形態１よりもさらに部品点数が抑制され、簡易な構造の水処理装置が得られる。また、容器に対し、弁とエネルギ貯蔵装置を同時に取り付けることができるため、処理時の作業が簡略化される。
【００５０】
実施の形態６．
図９は、実施の形態６における水処理装置の容器を示す模式図である。実施の形態６における水処理装置は、容器２Ｂの周面の一部に蛇腹構造１７を有している。その他の構成については上記実施の形態１における水処理装置１と同様であるので説明を省略する。
【００５１】
実施の形態６では、水処理装置が地表から高さをもつことによる位置エネルギを利用したものであり、容器２Ｂの一部に形成された蛇腹構造１７によって被処理水１１に衝撃を印加することができる。また、容器２Ｂ内の被処理水１１を撹拌し溶存気体を増加させたり、衝撃波発生面５ａから発生した第１の衝撃波１３を反射して増強または増幅させたりする効果が得られる。
【００５２】
なお、上記実施の形態１−６では、被処理水１１に殺菌を行う水処理装置について説明したが、水以外の液体にも殺菌を行えることは言うまでもない。
【００５３】
本開示は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。従って、例示されていない無数の変形例が、本願明細書に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００５４】
１  水処理装置、２、２Ａ、２Ｂ  容器、２ａ  端部、２ｂ  底部、２ｃ  開口部、２ｄ  目盛り、３、３Ａ  蓋体部材、４、４Ａ  衝撃印加部、５、５Ａ  弁、５ａ  衝撃波発生面、５ｂ  衝撃印加面、５ｃ  段差部、６  ピストン、７  エネルギ貯蔵装置、７ａ  エネルギ貯蔵機構、７ｂ  衝撃印加機構、７ｃ  スイッチ、８  衝撃波増強部、９  気泡発生装置、１１  被処理水、１１ａ  水面、１２、１２ａ  微小気泡、１３  第１の衝撃波、１４  第２の衝撃波、１５  空気層、１６  Ｏリング、１７  蛇腹構造
【要約】
水処理装置（１）は、衝撃印加部（４）により被処理水（１１）に衝撃を印加し、衝撃による衝撃波が被処理水（１１）中で発生させるキャビテーションを利用して被処理水（１１）に殺菌を行う。衝撃印加部（４）は、弁（５）、ピストン（６）、及びエネルギ貯蔵装置（７）を含み、容器（２）の一方の端部（２ａ）に配置され、容器（２）に対し着脱可能である。衝撃印加部（４）は、エネルギ貯蔵装置（７）がエネルギ貯蔵状態からエネルギ解放状態になる時に発生する運動エネルギを弁（５）の衝撃印加面５ｂに印加し、弁（５）の衝撃波発生面（５ａ）から被処理水（１１）中に衝撃波を発生させる。【図１】
0006899968.tif 000002
【図２】
0006899968.tif 000003
【図３】
0006899968.tif 000004
【図４】
0006899968.tif 000005
【図５】
0006899968.tif 000006
【図６】
0006899968.tif 000007
【図７】
0006899968.tif 000008
【図８】
0006899968.tif 000009
【図９】
0006899968.tif 000010